(57)【特許請求の範囲】
【請求項１】
画像を表示する表示領域を備えた電気光学装置に用いられる温度検出装置であって、
配線と前記配線に電気的に接続された温度センサーへ、設定された時間間隔で、前記温度センサーを動作させる信号を前記配線を介して印加して温度を測定する測定部と、
前記測定部が温度を第１時間間隔で測定している場合、測定した最新の温度と該温度より前に測定された温度との差が第１閾値未満であると、前記時間間隔を前記第１時間間隔より長い第２時間間隔に設定する第１設定部と、
前記測定部が温度を第２時間間隔で測定している場合、前記表示領域に入射する光の光量が変更されると、前記時間間隔を前記第１時間間隔に設定する第２設定部と
を有する温度検出装置。
【請求項２】
画像を表示する表示領域の外側において、互いに電気的に接続された複数のダミー画素電極からなる温度センサーと、
設定された時間間隔で、前記温度センサーを動作させる信号を配線を介して前記温度センサーに印加して温度を測定する測定部と、
前記測定部が温度を第１時間間隔で測定している場合、測定した最新の温度と該温度より前に測定された温度との差が第１閾値未満であると、前記時間間隔を前記第１時間間隔より長い第２時間間隔に設定する第１設定部と、
前記測定部が温度を第２時間間隔で測定している場合、前記表示領域に入射する光の光量が変更されると、前記時間間隔を前記第１時間間隔に設定する第２設定部と
を有する電気光学装置。
【請求項３】
前記測定部が温度を第２時間間隔で測定している場合、測定した最新の温度と該温度より前に測定された温度との差が前記第１閾値より小さい第２閾値未満であると、前記時間間隔を前記第２時間間隔より長い第３時間間隔に設定する第３設定部を有することを特徴とする請求項２に記載の電気光学装置。
【請求項４】
請求項２または３に記載の電気光学装置を有する電子機器。
【発明の詳細な説明】
【技術分野】
【０００１】
本発明は、温度を検出する技術に関する。
【背景技術】
【０００２】
液晶パネルにおける液晶素子では、液晶に印加される電圧が同じであっても液晶の温度
によって階調が変化する。このため、液晶パネルにおいて温度を検出し、検出した温度に
応じて各種の制御を行う技術が提案されている。例えば、特許文献１に開示された表示装
置は、液晶内に温度センサーを付加した画素を表示面の中心に設け、温度センサーで検出
した温度に基づいて、液晶の駆動基板の冷却機構を制御している。また、特許文献２に開
示された液晶表示装置は、表示パネルに配列された走査電極の周囲を囲うように透明電極
のパターンが形成されており、このパターンの抵抗値に応じて駆動電圧を制御している。
【先行技術文献】
【特許文献】
【０００３】
【特許文献１】特開２００８−２５６８２１号公報
【特許文献２】特開平９−５７１３号公報
【発明の概要】
【発明が解決しようとする課題】
【０００４】
さて、液晶パネルにおいては、配線材料としてアルミニウムが用いられている。表示パ
ネルの高精細化により、アルミニウムによる配線は線幅が狭くなるが、温度測定を行う温
度センサーに対して常時電流を流して温度測定を行うと、温度センサーへの配線において
エレクトロマイグレーションが発生し、配線が断線する虞がある。
【０００５】
本発明は、上述した課題に鑑みてなされたものであり、その目的の一つは、温度測定に
係る配線において抵抗配線の信頼性を向上させることにある。
【課題を解決するための手段】
【０００６】
上記目的を達成するために、本発明に係る温度検出装置は、画像を表示する表示領域を備えた電気光学装置に用いられる温度検出装置であって、配線と前記配線に電気的に接続された温度センサーへ、設定された時間間隔で、前記温度センサーを動作させる信号を前記配線を介して印加して温度を測定する測定部と、前記測定部が温度を第１時間間隔で測定している場合、測定した最新の温度と該温度より前に測定された温度との差が第１閾値未満であると、前記時間間隔を前記第１時間間隔より長い第２時間間隔に設定する第１設定部と、前記測定部が温度を第２時間間隔で測定している場合、前記表示領域に入射する光の光量が変更されると、前記時間間隔を前記第１時間間隔に設定する第２設定部とを有することを特徴とする。
この構成によれば、最新の温度と該温度より前に測定された温度との差、即ち、温度変化量が閾値未満となって温度変化が少なくなると、温度測定の時間間隔が第２時間間隔となって長くなる。温度測定の時間間隔が長くなると、温度センサーへ信号を印加する回数が減るので、温度センサーへ信号を印加する配線に流れる電流が減り、抵抗配線の信頼性を向上させることができる。
【０００７】
また、上記目的を達成するために、本発明に係る電気光学装置にあっては、画像を表示
する表示領域の外側において、互いに電気的に接続された複数のダミー画素電極からなる
温度センサーと、設定された時間間隔で、前記温度センサーを動作させる信号を配線を介
して前記温度センサーに印加して温度を測定する測定部と、前記測定部が温度を第１時間
間隔で測定している場合、測定した最新の温度と該温度より前に測定された温度との差が
第１閾値未満であると、前記時間間隔を前記第１時間間隔より長い第２時間間隔に設定す
る第１設定部と、前記測定部が温度を第２時間間隔で測定している場合、光源から入射さ
れる光の光量が変更されると、前記時間間隔を前記第１時間間隔に設定する第２設定部と
を有することを特徴とする。
この構成によれば、最新の温度と該温度より前に測定された温度との差、即ち、温度変
化量が閾値未満となって温度変化が少なくなると、温度測定の時間間隔が第２時間間隔と
なって長くなる。温度測定の時間間隔が長くなると、温度センサーへ信号を印加する回数
が減るので、温度センサーへ信号を印加する配線に流れる電流が減り、抵抗配線の信頼性
を向上させることができる。
また、電気光学装置に入射する光の光量が変更されると電気光学装置の温度が変化する
が、電気光学装置に入射する光の光量が変更されることに応じて温度測定の時間間隔が第
１時間間隔に変更されるので、測定結果と電気光学装置の温度との差が大きくなることが
ない。
【０００８】
上記構成において、前記測定部が温度を第２時間間隔で測定している場合、測定した最
新の温度と該温度より前に測定された温度との差が前記第１閾値より小さい第２閾値未満
であると、前記時間間隔を前記第２時間間隔より長い第３時間間隔に設定する第３設定部
を有する構成としてもよい。
この構成によれば、温度測定の時間間隔が第２時間間隔よりさらに長くなる。温度測定
の時間間隔が長くなると、温度センサーへ信号を印加する回数が減るので、温度センサー
へ信号を印加する配線に流れる電流が減り、配線の信頼性を向上させることができる。
【０００９】
なお、本発明は、電気光学装置のほか、当該電気光学装置を含む電子機器としても概念
することが可能である。
【図面の簡単な説明】
【００１０】
【図１】実施形態に係る液晶パネルの構成を示す図。
【図２】液晶パネルに設けられる領域を説明する図。
【図３】液晶パネルの回路構成を示す図。
【図４】液晶パネルにおける画素の等価回路を示す図。
【図５】液晶素子の温度を測定するハードウェアの構成を示した図。
【図６】温度測定に係る画素電極に印加する電圧を示した図。
【図７】液晶素子の印加電圧と反射率の関係を示した図。
【図８】テーブルＴＢ１の内容を示した図。
【図９】液晶パネルを適用したプロジェクターの構成を示した図。
【図１０】温度測定に係る機能の構成を示した機能ブロック図。
【図１１】制御部２０４が行う処理の流れを示したフローチャート。
【図１２】第２実施形態で温度測定に係る画素電極に印加する電圧を示した図。
【図１３】第３実施形態で温度測定に係る画素電極に印加する電圧を示した図。
【図１４】第３実施形態の変形例で温度測定に係る画素電極に印加する電圧を示した図。
【図１５】第４実施形態で温度測定に係る画素電極に印加する電圧を示した図。
【図１６】変形例において液晶パネルに設けられる領域を説明する図。
【図１７】変形例において液晶素子の温度を測定するハードウェアの構成を示した図。
【図１８】制御部２０４が行う処理の流れを示したフローチャート。
【図１９】変形例に係る機能の構成を示した機能ブロック図。
【発明を実施するための形態】
【００１１】
［第１実施形態］
以下、本発明の第１実施形態について説明する。まず、本実施形態に係る電気光学装置
であり、画像を表示する表示パネルである液晶パネルの構造の概略について説明する。本
実施形態に係る液晶パネルは反射型であり、後述するプロジェクターのライトバルブとし
て用いられる。
【００１２】
図１（Ａ）は、実施形態に係る液晶パネル１００の構造を示す斜視図であり、図１（Ｂ
）は、図１（Ａ）におけるＨ−ｈ線で破断した断面図である。なお、図面においては、各
層、各部材、各領域などを認識可能な大きさとするために、縮尺を異ならせている場合が
ある。これらの図に示されるように、液晶パネル１００は、画素電極１１８が形成された
素子基板１０１と、コモン電極１０８が設けられた対向基板１０２とが、スペーサー（図
示省略）を含むシール材９０によって一定の間隙を保って、互いに電極形成面が対向する
ように貼り合わせられて、この間隙に例えばＶＡ（Vertical Alignment）型の液晶１０５
が封入された構造になっている。
【００１３】
本実施形態において素子基板１０１および対向基板１０２には、それぞれガラスや石英
などの光透過性を有する基板が用いられる。素子基板１０１にあっては、対向基板１０２
よりも図１（Ａ）においてＹ方向のサイズが長いが、奥側（ｈ側）が揃えられた状態で貼
り合わせられているので、素子基板１０１の手前側（Ｈ側）の一辺が対向基板１０２から
張り出している。この張り出した領域にＸ方向に沿って複数の端子１０７が設けられる。
なお、複数の端子１０７は、ＦＰＣ（Flexible Printed Circuits）基板に接続されて、
外部上位装置から各種信号や各種電圧、映像信号が供給される構成となっている。
【００１４】
素子基板１０１において、対向基板１０２と対向する面に形成された画素電極１１８は
、詳細には後述するが、アルミニウムなどの反射性金属層をパターニングしたものである
。対向基板１０２において、素子基板１０１と対向する面に設けられたコモン電極１０８
は、ＩＴＯ（Indium Tin Oxide）などの透明性を有する導電層である。また、対向基板１
０２においては、遮光性材料からなる遮光層１０９がコモン電極１０８の周囲に設けられ
ている。
なお、シール材９０は、対向基板１０２の縁に沿って額縁状に形成されるが、液晶１０
５を封入するために、その一部が開口している。このため、液晶１０５の封入後に、その
開口部分が封止材９２によって封止される。また、素子基板１０１において対向基板１０
２に向かい合う面、および対向基板１０２において素子基板１０１に向かい合う面には、
電圧無印加状態において液晶分子を基板面の法線方向に沿って配向させる配向膜がそれぞ
れ設けられるが、図１（Ｂ）ではその図示が省略されている。
【００１５】
次に、図１（Ｂ）で示した素子基板１０１の領域ａ，ｂについて、図２を参照して説明
する。図２は、図１（Ａ）において上方から、すなわち対向基板１０２側から液晶パネル
１００を平面視したときの領域ａ，ｂの位置関係を模式的に示した図である。図２におい
て、領域ｂは、遮光層１０９の領域である。対向基板１０２側から液晶パネル１００に入
射する光は、領域ｂにおいては遮光層１０９で遮光され、領域ａにおいては対向基板１０
２を通過する。図２において、領域ａは、画素１１０がマトリクス状に配列された領域で
あり、領域ａ１〜ａ３で構成されている。なお、図２においては、領域ａ２に係る画素１
１０を他の領域に係る画素１１０と区別しやすくするため、領域ａ２に係る画素１１０に
はハッチングを施してある。
【００１６】
領域ａ１は、画像の表示と黒枠の表示を行う領域である。領域ａ１は、画素１１０が複
数行複数列でマトリクス状に配列される領域ａ１１と、画素１１０が領域ａ１１の外周に
沿って配列される領域ａ１２で構成されている。領域ａ１１は、画像を表示する有効表示
領域である。一方、領域ａ１２は、黒を表示する領域（第１領域）であり、遮光層１０９
と同様に黒として視認される。
【００１７】
領域ａ２は、黒を表示する領域（第２領域）である。領域ａ２は、領域ａ１２より外側
で、領域ａ１２のＸ方向に沿う２辺に沿って配列された複数の画素１１０と、領域ａ１２
より外側で、領域ａ１２のＹ方向に沿う１辺に沿って配列された複数の画素１１０とで構
成されている。なお、領域ａ２にある画素１１０は、隣り合う画素１１０の画素電極１１
８同士が図示せぬ配線で接続されている。即ち、領域ａ２にある画素電極１１８は、直列
に接続されており、一本の抵抗体Ｒとして機能する。
【００１８】
領域ａ３は、黒を表示する領域である。領域ａ３は、領域ａ２より外側で、領域ａ２の
Ｘ方向に沿う２辺に沿って配列された複数の画素１１０と、領域ａ２より外側で、領域ａ
２のＹ方向に沿う１辺に沿って配列された複数の画素１１０とで構成されている。領域ａ
３は、遮光層１０９と同様に黒枠として視認される。
即ち、本実施形態においては、有効表示領域となる領域ａ１１の外側に、黒を表示する
領域ａ１２、領域ａ２、領域ａ３および領域ｂがあり、領域ａ１２、領域ａ２、領域ａ３
および領域ｂは、図２に示したように有効表示領域の外側で黒枠として視認される。これ
らの領域に含まれる画素はダミー画素電極を備えたダミー画素として機能する。
【００１９】
次に、液晶パネル１００の電気的な構成について図３を参照して説明する。上述したよ
うに、液晶パネル１００は、素子基板１０１と対向基板１０２とが一定の間隙を保って貼
り合わせられるとともに、この間隙に、液晶１０５が挟持されている。素子基板１０１の
うち、対向基板１０２との対向面には、複数ｍ行の走査線１１２が図においてＸ方向に沿
って設けられる一方、複数ｎ列のデータ線１１４が、Ｙ方向に沿って、かつ、各走査線１
１２と互いに電気的に絶縁を保って設けられている。
素子基板１０１の領域ａでは、ｍ行の走査線１１２とｎ列のデータ線１１４との交差の
それぞれに対応して、スイッチング素子の一例としてｎチャネル型のＴＦＴ１１６と、反
射性を有する画素電極１１８との組が設けられている。ＴＦＴ１１６のゲート電極は走査
線１１２に接続され、ソース電極がデータ線１１４に接続され、ドレイン電極が画素電極
１１８に接続されている。このため、本実施形態において領域ａには、画素電極１１８が
ｍ行ｎ列でマトリクス状に配列することになる。
なお、本実施形態では、データ線１１４を区別するために、図３において左から順に１
、２、３、・・・、（ｎ−１）、ｎ列目という呼び方をする場合がある。同様に、走査線
１１２を区別するために、図３において上から順に１、２、３、・・・、（ｍ−１）、ｍ
行目という呼び方をする場合がある。
【００２０】
データ線駆動回路１６０は、１、２、３、・・・、ｎ列目のデータ線１１４を駆動する
。詳細にはデータ線駆動回路１６０は、端子１０７を介して供給された映像信号を、同じ
く端子１０７を介して供給された各種制御信号によって１、２、３、・・・、ｎ列のデー
タ線１１４に分配し保持させて、データ信号Ｘ１、Ｘ２、 Ｘ３、・・・、Ｘｎとして供
給する。なお、データ線駆動回路１６０は、図３に示したように、領域ａにおいてＸ方向
に沿った一辺に隣接する領域に設けられる。
【００２１】
２つの走査線駆動回路１７０は、１、２、３、・・・、ｍ行目の走査線１１２を両側か
ら駆動する。詳細には、走査線駆動回路１７０は、端子１０７を介して供給された各種制
御信号によって走査信号Ｙ１、Ｙ２、Ｙ３、・・・、Ｙｍをそれぞれ生成し、１、２、３
、・・・、ｍ行目の走査線１１２の両側から供給する。また、走査線駆動回路１７０は、
図３に示したように、領域ａにおいてＹ方向に沿った２辺に隣接する領域にそれぞれ設け
られる。
【００２２】
一方、対向基板１０２のうち、素子基板１０１との対向面、具体的には、領域ａとの対
向面には、透明性を有するコモン電極１０８が設けられる。コモン電極１０８には、端子
１０７および図示せぬ配線を介して、電圧ＬＣcomが印加される。
【００２３】
図４は、領域ａにおける画素１１０の等価回路を示す図であり、走査線１１２とデータ
線１１４との交差に対応して、画素電極１１８とコモン電極１０８とで液晶１０５を挟持
した液晶素子１２０が配列した構成となる。なお、図３では省略したが、実際には図４に
示されるように、液晶素子１２０に対して並列に補助容量（蓄積容量）１２５が設けられ
る。この補助容量１２５は、一端が画素電極１１８に接続され、他端が容量線１１５に共
通接続されている。本実施形態では、容量線１１５には、コモン電極１０８と同じ電圧Ｌ
Ｃcomが印加される。
【００２４】
このような構成において、走査線駆動回路１７０が、ある１行の走査線を選択して、当
該走査線１１２をＨレベルにすると、当該走査線にゲート電極が接続されたＴＦＴ１１６
がオン状態になり、画素電極１１８がデータ線１１４に電気的に接続された状態になる。
このため、走査線１１２がＨレベルであるときに、データ線駆動回路１６０が、階調に応
じた電圧のデータ信号をデータ線１１４に供給すると、当該データ信号は、オン状態にな
ったＴＦＴ１１６を介して画素電極１１８に印加される。走査線１１２がＬレベルになる
と、ＴＦＴ１１６はオフ状態になるが、画素電極に印加された電圧は液晶素子１２０の容
量性および補助容量１２５によって保持される。
走査線駆動回路１７０は、１行目からｍ行目までの走査線１１２を順番に選択するとと
もに、データ線駆動回路１６０が、選択された走査線１１２に位置する１行分の画素に対
しデータ信号を、データ線１１４を介して供給することによって、すべての液晶素子１２
０に階調に応じた電圧が印加・保持される。この動作が１フレーム（１垂直走査期間）毎
に繰り返される。
液晶素子１２０では、画素電極１１８およびコモン電極１０８の間によって生じる電界
の強さに応じて液晶１０５の分子配向状態が変化する。なお、直流成分の印加による液晶
１０５の劣化を防止するために、液晶素子１２０については交流駆動が実行される。また
、本実施形態では、交流駆動は、同一フレーム内において各液晶素子１２０の書き込み極
性をすべての同一とする面反転方式としている。
【００２５】
図１（Ａ）において対向基板１０２の上面から入射した光は、図示省略した偏光子、対
向基板１０２、コモン電極１０８、液晶１０５という経路を辿った後、画素電極１１８に
よって反射して、それまでとは逆向きの経路を辿って出射する。このときに液晶素子１２
０に入射する光量に対して出射する光量の比率、すなわち反射率は、液晶素子１２０に印
加・保持された電圧が高くなるにつれて、大きくなる。
このようにして、液晶パネル１００では、液晶素子１２０毎に反射率が変化するので、
液晶素子１２０が、表示すべき画像の最小単位である画素として機能することになる。液
晶素子１２０は、平面視したときに画素電極１１８で規定されるので、画素電極１１８の
配列する領域が上述した領域ａになる。
【００２６】
次に、液晶素子１２０の温度を測定する構成について説明する。図５は、液晶素子１２
０の温度を測定するハードウェアの構成を示した図である。上述したように、領域ａ２に
係る画素電極１１８は、素子基板１０１に設けられた金属配線で直列に接続されて一本の
抵抗体Ｒとして機能する。抵抗体Ｒの一方の端には、端子Ｔ１が接続され、抵抗体Ｒの他
端には端子Ｔ２が接続されている。第１信号印加部２０１は、端子Ｔ１に予め定められた
信号（第１信号）を印加するものであり、素子基板１０１に設けられた金属配線で端子Ｔ
１に接続されている。第２信号印加部２０２は、端子Ｔ２に予め定められた信号（第２信
号）を印加するものであり、素子基板１０１に設けられた金属配線で端子Ｔ２に接続され
ている。なお、本実施形態においては、図６に示したように、液晶素子１２０の温度を測
定する際には、端子Ｔ２には電圧が一定であり電圧が電圧ＬＣcomである信号が印加され
、端子Ｔ１には、電圧が一定で電圧が電圧ＬＣcom＋電圧Ｖａである信号が印加される。
また、液晶素子１２０の温度を測定しない時には、端子Ｔ１および端子Ｔ２には電圧ＬＣ
comが印加される。
【００２７】
なお、本実施形態において、液晶素子１２０の印加電圧（Ｖ）と反射率（Ｒ）との関係
は、液晶１０５をＶＡ方式のノーマリーブラックモードとしているので、図７に示される
ようなＶ（電圧）−Ｒ（反射率）特性で表される。領域ａ２は、黒を表示するため、領域
ａ２の液晶素子１２０に掛かる電圧は、領域ａ２の液晶素子１２０をノーマリーブラック
モードにおける黒レベルにする電圧Ｖbk以下となるように設定される。図７に示すように
ＶＡモードでは黒レベル側に充分な飽和領域を有している。本実施形態は温度測定のため
に温度依存性を有する抵抗体Ｒの端子間に電圧を印加し、その結果電圧Ｖbk以下である数
Ｖ程度の電圧が液晶層に印加されても黒表示に与える影響は視覚的に認識しがたい点を利
用するものである。
【００２８】
また、電流検出器２０６は、抵抗体Ｒに流れる電流を検知するものであり、抵抗体Ｒに
直列接続されている。また、電流検出器２０６の出力はＡ／Ｄコンバーター２０３に接続
されており、電流検出器２０６は、検知した電流の電流値を表す信号（電流値Ｉ）をＡ／
Ｄコンバーター２０３に出力する。Ａ／Ｄコンバーター２０３は、電流値Ｉをデジタル信
号に変換し、電流値Ｉを表す信号Ｓ１を制御部２０４へ出力する。
【００２９】
制御部２０４は、ＣＰＵ（Central Processing Unit）、ＲＯＭ（Read Only Memory）
、ＲＡＭ（Random Access Memory）を有し、ＲＯＭに記憶されたプログラムに従って動作
するマイクロコンピューターである。
制御部２０４は、Ａ／Ｄコンバーター２０３から供給される信号Ｓ１を取得し、取得し
た信号Ｓ１から、電流値Ｉを求める。また、制御部２０４は、電流値Ｉと抵抗体Ｒの温度
との関係を表すテーブルＴＢ１（図８）を記憶している。抵抗体Ｒの抵抗値は、抵抗体Ｒ
の温度に応じて変化し、電流値Ｉは、抵抗体Ｒの抵抗値に応じて変化する。即ち、電流値
Ｉは、抵抗体Ｒの温度に応じて変化する。このため、電流値Ｉと抵抗体Ｒの温度との関係
を予め測定し、この関係を表すテーブルＴＢ１を作成すれば、電流値Ｉを求めることによ
り、テーブルＴＢ１を用いて抵抗体Ｒの温度を求めることができる。なお、抵抗体Ｒを構
成する画素電極１１８は、液晶１０５に接しているため、求めた抵抗体Ｒの温度は、液晶
１０５の温度を表すことになり、本実施形態においては、抵抗体Ｒは、温度センサーとし
て機能していることになる。
【００３０】
また、制御部２０４は、データ線駆動回路１６０と走査線駆動回路１７０を制御し、各
種制御信号をデータ線駆動回路１６０と走査線駆動回路１７０へ供給する。なお、制御部
２０４は、抵抗体Ｒの温度を求めると、求めた温度に応じて映像信号を補正し、補正した
映像信号をデータ線駆動回路１６０へ供給する。映像信号の電圧は、画素１１０の階調を
決定するものであり、制御部２０４は、温度が変化しても画素１１０の階調が変化しない
ように、求めた抵抗体Ｒの温度に応じて映像信号の電圧を調整する。例えば、温度が低い
場合には映像信号の電圧を高い方へ補正し、温度が高い場合には映像信号の電圧を低い方
へ補正する。
【００３１】
そして、領域ａ３の液晶素子１２０には、画素１１０の階調をノーマリーブラックモー
ドの黒レベルにする電圧を印加する。また、領域ａ２の液晶素子１２０についても、画素
１１０の階調をノーマリーブラックモードの黒レベルにする電圧を印加する。また、領域
ａ１２の液晶素子１２０についても、画素１１０の階調をノーマリーブラックモードの黒
レベルにする電圧を印加する。
このように、領域ａ３、領域ａ２および領域ａ１２の液晶素子１２０について、画素１
１０の階調をノーマリーブラックモードの黒レベルにする電圧を印加することにより、領
域ａ３、領域ａ２および領域ａ１２の反射率は黒レベルとなる。また、領域ａ１１の液晶
素子１２０については、表示する画像に応じた電圧が印加され、領域ａ１１の反射率は、
映像信号に応じた反射率となる。
【００３２】
次に、上述した実施形態に係る反射型の液晶パネル１００を適用した電子機器について
説明する。図９は、液晶パネル１００をライトバルブとして用いてプロジェクター１１０
０の構成を示す平面図である。この図に示されるように、プロジェクター１１００は、実
施形態に係る反射型の液晶パネル１００を、Ｒ（赤）、Ｇ（緑）、Ｂ（青）の各色に対応
させた３板式である。プロジェクター１１００の内部には、偏光照明装置１１１０がシス
テム光軸ＰＬに沿って配置されている。この偏光照明装置１１１０において、ランプ１１
１２からの出射光は、リフレクター１１１４による反射で略平行な光束となって、第１の
インテグレータレンズ１１２０に入射する。この第１のインテグレータレンズ１１２０に
より、ランプ１１１２からの出射光は、複数の中間光束に分割される。この分割された中
間光束は、第２のインテグレータレンズを光入射側に有する偏光変換素子１１３０によっ
て、偏光方向がほぼ揃った一種類の偏光光束（ｓ偏光光束）に変換されて、偏光照明装置
１１１０から出射されることになる。
なお、絞り部１１２５は、インテグレータレンズ１１２０から偏光変換素子１１３０に
至る光の光量を調節し、液晶パネル１００に到達する光の光量を調節するものである。絞
り部１１２５は、液晶パネル１００に到達する光の光量を調節する操作がプロジェクター
１１００の操作ボタンにおいて行われると、プロジェクター１１００の各部を制御するマ
イクロコンピューターにより制御され、通過する光の光量を調節する。
【００３３】
偏光照明装置１１１０から出射されたｓ偏光光束は、偏光ビームスプリッター１１４０
のｓ偏光光束反射面１１４１によって反射される。この反射光束のうち、青色光（Ｂ）の
光束がダイクロイックミラー１１５１の青色光反射層にて反射され、液晶パネル１００Ｂ
によって変調される。また、ダイクロイックミラー１１５１の青色光反射層を透過した光
束のうち、赤色光（Ｒ）の光束は、ダイクロイックミラー１１５２の赤色光反射層にて反
射され、液晶パネル１００Ｒによって変調される。一方、ダイクロイックミラー１１５１
の青色光反射層を透過した光束のうち、緑色光（Ｇ）の光束は、ダイクロイックミラー１
１５２の赤色光反射層を透過して、液晶パネル１００Ｇによって変調される。
ここで、液晶パネル１００Ｒ、１００Ｇおよび１００Ｂは、上述した実施形態における
液晶パネル１００と同様であり、供給されるＲ、Ｇ、Ｂの各色に対応する映像信号でそれ
ぞれ駆動されるものである。すなわち、このプロジェクター１１００では、液晶パネル１
００が、Ｒ、Ｇ、Ｂの各色に対応して３組設けられて、Ｒ、Ｇ、Ｂの各色に対応する映像
信号に応じてそれぞれ駆動される構成となっている。
【００３４】
液晶パネル１００Ｒ、１００Ｇ、１００Ｂによってそれぞれ変調された赤色、緑色、青
色の光は、ダイクロイックミラー１１５２、１１５１、偏光ビームスプリッター１１４０
によって順次合成された後、投射光学系１１６０によって、スクリーン１１７０に投射さ
れる。液晶パネル１００Ｒ、１００Ｂおよび１００Ｇには、ダイクロイックミラー１１５
１、１１５２によって、Ｒ、Ｇ、Ｂの各原色に対応する光束が入射するので、カラーフィ
ルタは必要ない。なお、電子機器としては、図９を参照して説明したプロジェクターの他
、リヤ・プロジェクション型のテレビジョンやヘッドマウントディスプレイなどが挙げら
れる。
【００３５】
このような構成のもと、液晶パネル１００Ｒ、１００Ｇ、１００Ｂにおいては、領域ａ
３、領域ａ２および領域ａ１２の領域は、反射率が黒レベルとなるため、これらの領域は
、スクリーン１１７０においては黒枠として視認される。また、領域ａ１１については、
反射率が映像信号に応じた反射率となって画像が表示される。
また、ランプ１１１２から液晶パネルに到達する光などにより、液晶素子１２０の温度
が変化すると、抵抗体Ｒの抵抗値が変化し、電流値Ｉが変化する。制御部２０４は、Ａ／
Ｄコンバーター２０３から供給される信号Ｓ１から抵抗体Ｒの温度、即ち、ランプ１１１
２からの光が当たっている液晶１０５の温度を求める。制御部２０４は、液晶１０５の温
度を求めると、求めた温度に応じて映像信号を補正し、スクリーン１１７０に投射される
画像の階調を補正する。
【００３６】
なお、プロジェクター１１００においては、偏光照明装置１１１０から出射されて偏光
ビームスプリッター１１４０およびダイクロイックミラー１１５１，１１５２を経由した
光が領域ａ２に入射するため、領域ｂに温度センサーを配置する構成と比較すると、画像
を表示する領域により近い部分で液晶１０５の温度を測定することができる。また、プロ
ジェクター１１００においては、領域ａ２は、上述したように黒枠の一部として視認され
るため、表示される画像に影響を与えることなく液晶１０５の温度を測定することができ
る。
【００３７】
次に、制御部２０４が行う温度測定の動作について説明する。図１０は、温度測定に係
る機能の構成を示した機能ブロック図である。第１設定部２０４２は、測定部２０４１が
温度を測定する時間間隔を設定するものであり、時間間隔を予め定められた第１時間間隔
に設定する。第２設定部２０４３は、測定部２０４１が温度を測定する時間間隔を設定す
るものであり、時間間隔を予め定められた第１時間間隔より長い第２時間間隔に設定する
。測定部２０４１は、第１信号印加部２０１および第２信号印加部２０２を制御し、温度
センサーとして機能する抵抗体Ｒを用いて抵抗体Ｒの温度（即ち、液晶１０５の温度）を
測定する。なお、測定部２０４１が温度を測定する時間間隔は、第１設定部２０４２また
は第２設定部２０４３で設定された時間となる。
【００３８】
図１１は、制御部２０４が行う処理の流れを示したフローチャートである。制御部２０
４は、プロジェクター１１００の電源が入れられると、まず、温度を測定する時間間隔を
第１時間間隔に設定する（ステップＳＡ１）。なお、本実施形態においては、第１時間間
隔は、１秒に設定される。制御部２０４は、第１時間間隔を設定し終えると、第１時間間
隔をカウントし、第１時間間隔をカウントし終えると（ステップＳＡ２でＹＥＳ）、抵抗
体Ｒの温度を測定し、映像信号を補正する（ステップＳＡ３）。具体的には、制御部２０
４は、第１信号印加部２０１および第２信号印加部２０２を制御し、端子Ｔ１に電圧ＬＣ
com＋電圧Ｖａの信号を印加し、端子Ｔ２に電圧ＬＣcomを印加する。また、制御部２０４
は、上述したように信号Ｓ１から電流値Ｉを求め、テーブルＴＢ１を用いて抵抗体Ｒの温
度を求める。求めた温度はＲＡＭに記憶される。なお、制御部２０４は、温度を求め終え
ると、第１信号印加部２０１および第２信号印加部２０２を制御し、端子Ｔ１および端子
Ｔ２に電圧ＬＣcomを印加する。制御部２０４は、抵抗体Ｒの温度の測定を終了すると、
これ以降にデータ線駆動回路１６０に供給される映像信号を測定した温度に応じて上述し
たように補正する。
【００３９】
次に制御部２０４は、抵抗体Ｒの温度が安定したか判定する。具体的には、制御部２０
４は、例えば、ＲＡＭに記憶した最新の温度と最新の一つ前の温度との温度差が予め定め
られた閾値未満であるか判定する。なお、温度差については、最新の温度と最新の一つ前
の温度との温度差に限定されるものではなく、例えば、最新の温度と最新の二つ以上前の
温度との温度差であってもよい。ここで、温度差が閾値以上である場合には（ステップＳ
Ａ４でＮＯ）、制御部２０４は、抵抗体Ｒの温度が安定していないと判断し、処理の流れ
をステップＳＡ２に戻す。一方、この温度差が閾値未満である場合（ステップＳＡ４でＹ
ＥＳ）、制御部２０４は、温度を測定する時間間隔を第２時間間隔に設定する（ステップ
ＳＡ５）。なお、本実施形態においては、第２時間間隔は、第１時間間隔より長い５秒に
設定される。
【００４０】
次に制御部２０４は、液晶パネル１００に到達する光の光量を調節する操作がプロジェ
クター１１００の操作ボタンにおいて行われたか判断する。なお、この操作としては、例
えば、映像の明るさを明るくしたり暗くしたりする明るさ調整の操作がある。また、映像
の画質のモードとして複数のモードがあり、各モードで映像の明るさが異なる場合、画質
のモードを変更する操作も、この操作に相当する。
プロジェクター１１００の各部を制御するプロジェクター制御部２０５（例えばマイク
ロコンピューター）は、この操作が行われると、この操作が行われたことを示す信号を制
御部２０４へ出力し、制御部２０４は、この信号を受け取ると、液晶パネル１００に到達
する光の光量を調節する操作が行われたと判断する。
制御部２０４は、液晶パネル１００に到達する光の光量を調節する操作が行われていな
い場合（ステップＳＡ６でＮＯ）、第２時間間隔をカウントし、第２時間間隔をカウント
し終えると（ステップＳＡ７でＹＥＳ）、ステップＳＡ３と同様に抵抗体Ｒの温度を測定
し、映像信号を補正する（ステップＳＡ８）。また、制御部２０４は、抵抗体Ｒの温度測
定を終了すると、これ以降にデータ線駆動回路１６０に供給される映像信号を測定した温
度に応じて補正し、処理の流れをステップＳＡ６に戻す。
一方、液晶パネル１００に到達する光の光量を調節する操作が行われた場合（ステップ
ＳＡ６でＹＥＳ）、制御部２０４は、処理の流れをステップＳＡ１に戻し、温度を測定す
る時間間隔を第１時間間隔に戻す。
【００４１】
本実施形態によれば、抵抗体Ｒ、即ち、領域ａ２の画素１１０を構成する画素電極１１
８やこれらの画素電極１１８を接続する配線には、温度を求める時にしか電流が流れない
ため、エレクトロマイグレーションが発生する可能性が低く、抵抗体Ｒを温度測定用の素
子として長期間使用することができる。また、本実施形態においては、温度の変化によっ
て温度を求める間隔を変更し、温度変化が閾値以下の場合には抵抗体Ｒに電流を流す期間
を短くするため、エレクトロマイグレーションが発生する可能性が低く、抵抗体Ｒを温度
測定用の素子として長期間使用することができる。
【００４２】
［第２実施形態］
次に、本発明の第２実施形態について説明する。本発明の第２実施形態においては、実
施形態に係る液晶パネル１００は、ハードウェア構成は第１実施形態と同じであり、端子
Ｔ１に印加する電圧が第１実施形態と異なる。
【００４３】
図１２は、温度測定時において本実施形態に係る第１信号印加部２０１が端子Ｔ１に印
加する電圧、本実施形態に係る第２信号印加部２０２が端子Ｔ２に印加する電圧、および
本実施形態に係る端子Ｔ１と端子Ｔ２との間の電位差ΔＶを示した図である。図１２に示
したように、端子Ｔ１には、電圧ＬＣcomに対して正の電圧と負の電圧が交互に印加され
る。また、端子Ｔ２には、第１実施形態と同じく、電圧ＬＣcomが印加される。このよう
に端子Ｔ１と端子Ｔ２に電圧が印加されると、端子Ｔ１と端子Ｔ２との間の電位差は、図
１２に示したように交互に正極性と負極性とになる。なお、本実施形態においても、領域
ａ２の液晶素子１２０には、画素１１０の階調をノーマリーブラックモードにおける黒レ
ベルにする電圧が印加される。
【００４４】
制御部２０４は、電流値Ｉを求め、求めた電流値Ｉの絶対値を求める。また制御部２０
４は、求めた電流値Ｉの絶対値とテーブルＴＢ１を用いて抵抗体Ｒの温度を求め、求めた
温度に応じて映像信号を補正する。
【００４５】
本実施形態によれば、領域ａ２の液晶素子１２０に対して電圧ＬＣcomを中心にして正
極性の電圧と負極性の電圧が交互に印加されるので、領域ａ２の液晶素子１２０に対して
直流成分が印加されるのを防ぐことができる。
【００４６】
［第３実施形態］
次に、本発明の第３実施形態について説明する。本発明の第３実施形態においては、実
施形態に係る液晶パネル１００は、ハードウェア構成は第１実施形態と同じであり、端子
Ｔ１に印加する電圧と、端子Ｔ２に印加する電圧が第１実施形態と異なる。
【００４７】
図１３は、温度測定時において本実施形態に係る第１信号印加部２０１が端子Ｔ１に印
加する電圧、本実施形態に係る第２信号印加部２０２が端子Ｔ２に印加する電圧、および
本実施形態に係る端子Ｔ１と端子Ｔ２との間の電位差ΔＶを示した図である。図１３に示
したように、端子Ｔ１には、電圧ＬＣcomに対して正の電圧と負の電圧が交互に印加され
る。また、端子Ｔ２にも、電圧ＬＣcomに対して正の電圧と負の電圧が交互に印加される
。
【００４８】
なお、本実施形態においては、端子Ｔ１に印加される電圧の振幅と端子Ｔ２に印加され
る電圧の振幅が異なっており、端子Ｔ１に印加される電圧の振幅のほうが端子Ｔ２に印加
される電圧の振幅より大きくなっている。また、本実施形態においては、端子Ｔ１に対し
て電圧ＬＣcomより高位側の電圧が印加されている期間においては、端子Ｔ２には電圧Ｌ
Ｃcomより低位側の電圧が印加され、端子Ｔ１に対して電圧ＬＣcomより低位側の電圧が印
加されている期間においては、端子Ｔ２には電圧ＬＣcomより高位側の電圧が印加される
。
このように端子Ｔ１と端子Ｔ２に電圧が印加されると、端子Ｔ１と端子Ｔ２との間の電
位差は、図１３に示したように交互に正極性と負極性とになる。なお、本実施形態におい
ても、領域ａ２の液晶素子１２０には、画素１１０の階調をノーマリーブラックモードに
おける黒レベルにする電圧が印加される。
【００４９】
制御部２０４は、電流値Ｉを求め、求めた電流値Ｉの絶対値を求める。また制御部２０
４は、求めた電流値Ｉの絶対値とテーブルＴＢ１を用いて抵抗体Ｒの温度を求め、求めた
温度に応じて映像信号を補正する。
【００５０】
本実施形態によれば、領域ａ２の液晶素子１２０に対して電圧ＬＣcomを中心にして正
極性の電圧と負極性の電圧が交互に印加されるので、領域ａ２の液晶素子１２０に対して
直流成分が印加されるのを防ぐことができる。また、本実施形態によれば、第１実施形態
や第２実施形態と比較して、電位差ΔＶを大きくできるため、電流値Ｉの測定精度を向上
させることができる。
なお、本実施形態においては、端子Ｔ１に印加する電圧の振幅と端子Ｔ２に印加する電
圧の振幅が異なっているが、図１４に示したように、端子Ｔ１に印加する電圧の振幅と端
子Ｔ２に印加する電圧の振幅を同じにしてもよい。
【００５１】
［第４実施形態］
次に、本発明の第４実施形態について説明する。本発明の第４実施形態においては、実
施形態に係る液晶パネル１００は、ハードウェア構成は第１実施形態と同じであり、端子
Ｔ１に印加する電圧と、端子Ｔ２に印加する電圧が第１実施形態と異なる。
【００５２】
図１５は、温度測定時において本実施形態に係る第１信号印加部２０１が端子Ｔ１に印
加する電圧、本実施形態に係る第２信号印加部２０２が端子Ｔ２に印加する電圧、および
本実施形態に係る端子Ｔ１と端子Ｔ２との間の電位差ΔＶを示した図である。図１５に示
したように、本実施形態においては、端子Ｔ１と端子Ｔ２に電圧を印加する期間として、
第１期間と第２期間がある。第１期間と第２期間は同じ長さであり、第１期間と第２期間
は交互に訪れる。
まず、第１期間においては、端子Ｔ１に対して電圧ＬＣcomが印加され、端子Ｔ２に対
しては、電圧ＬＣcomに対して正の電圧が印加された後に負の電圧が印加される。また、
第２期間においては、端子Ｔ２に対して電圧ＬＣcomが印加され、端子Ｔ１に対しては、
電圧ＬＣcomに対して負の電圧が印加された後に正の電圧が印加される。
【００５３】
このように端子Ｔ１と端子Ｔ２に電圧が印加されると、端子Ｔ１と端子Ｔ２との間の電
位差は、図１５に示したように交互に正極性と負極性とになる。なお、本実施形態におい
ても、領域ａ２の液晶素子１２０には、画素１１０の階調をノーマリーブラックモードに
おける黒レベルにする電圧が印加される。
【００５４】
制御部２０４は、電流値Ｉを求め、求めた電流値Ｉの絶対値を求める。また制御部２０
４は、求めた電流値Ｉの絶対値とテーブルＴＢ１を用いて抵抗体Ｒの温度を求め、求めた
温度に応じて映像信号を補正する。
【００５５】
本実施形態によれば、領域ａ２の液晶素子１２０に対して電圧ＬＣcomを中心にして正
極性の電圧と負極性の電圧が交互に印加されるので、領域ａ２の液晶素子１２０に対して
直流成分が印加されるのを防ぐことができる。
【００５６】
［変形例］
以上、本発明の実施形態について説明したが、本発明は上述した実施形態に限定される
ことなく、他の様々な形態で実施可能である。例えば、上述の実施形態を以下のように変
形して本発明を実施してもよく、各変形例を組み合わせて実施してもよい。
【００５７】
上述した実施形態においては、領域ａ２にある画素１１０は、一列のみであるが、図１
６に示したように、領域ａ２には２列で画素１１０を配置してもよい。この構成において
も、図１６において実線で示したように、領域ａ２にある画素１１０の画素電極１１８が
一列となるように接続することにより、領域ａ２にある画素１１０の画素電極１１８が一
つの抵抗体となるようにしてもよい。
【００５８】
本発明の第２実施形態にあっては、図１７に示したように、端子Ｔ１を第１信号印加部
２０１または第２信号印加部２０２に接続するスイッチＳＷ１と、端子Ｔ２を第１信号印
加部２０１または第２信号印加部２０２に接続するスイッチＳＷ２を設けてもよい。
また、図１７に示した構成にあっては、液晶パネル１００を有する電子機器の電源がオ
ンにされて画像の表示を開始する前には、具体的には、データ線駆動回路１６０に映像信
号の供給が開始される前には、スイッチＳＷ１とスイッチＳＷ２を制御して端子Ｔ１と端
子Ｔ２を第２信号印加部２０２に接続して抵抗体Ｒに電圧ＬＣcomを印加し、映像信号の
供給を開始する時にスイッチＳＷ１を制御して端子Ｔ１を第１信号印加部２０１に接続す
るようにしてもよい。また、図１７に示した構成にあっては、液晶パネル１００を有する
電子機器の電源がオフにされてデータ線駆動回路１６０と走査線駆動回路１７０の動作を
終了する場合、具体的には、データ線駆動回路１６０へ映像信号の供給を終了する場合、
スイッチＳＷ１とスイッチＳＷ２を第２信号印加部２０２に接続して抵抗体Ｒに電圧ＬＣ
comを印加するようにしてもよい。
【００５９】
上述した実施形態においては、領域ａ１２にある画素１１０は、領域ａ１１にある画素
１１０と同じ構成であるため、黒だけでなく画像を表示することも可能である。このため
、領域ａ２より内側にある液晶素子１２０について、階調を黒レベルにするデータ信号の
供給先を変更することにより、領域ａ１１の位置を変更してもよい。領域ａ１１の位置を
変更することにより、領域ａ３、領域ａ２および領域ａ１２により黒枠として視認される
部分の上下左右の幅や有効表示領域の位置を変更することができる。
【００６０】
上述した実施形態においては、液晶１０５を、ノーマリーブラックモードとしているが
、液晶１０５は、例えばＴＮ方式として、電圧無印加時において画素１１０が白状態とな
るノーマリーホワイトモードとしても良い。この場合、液晶素子１２０に印加する電圧が
高くなるにつれて光の透過率が小さくなるため、領域ａ３、領域ａ２および領域ａ１２に
は、これらの領域が黒表示となるように電圧が印加される。
また、上述した実施形態においては、液晶パネル１００は反射型となっているが、液晶
パネル１００は透過型であってもよい。
【００６１】
上述した実施形態においては、領域ａ３を設けず、領域ａにおいて領域ａ２が最も外側
になるようにしてもよい。
【００６２】
上述した実施形態においては、第１時間間隔は１秒であり、第２時間間隔は５秒となっ
ているが、第１時間間隔と第２時間間隔は、この時間に限定されるものではなく、第１時
間間隔が第２時間間隔より短ければ他の時間間隔であってもよい。また、上述した実施形
態においては、温度測定を行う時間間隔は、第１時間間隔または第２時間間隔に設定され
るが、第２時間間隔より長い第３時間間隔がさらに設定されるようにしてもよい。
【００６３】
図１８は、本発明の変形例に係る制御部２０４が行う処理の流れを示したフローチャー
トである。また、図１９は、本発明の変形例に係る機能の構成を示した機能ブロック図で
ある。図１９に示したように、本変形例においては、第３設定部２０４４が設けられてい
る。第３設定部２０４４は、測定部２０４１が温度を測定する時間間隔を設定するもので
あり、時間間隔を予め定められた第２時間間隔より長い第３時間間隔に設定する。
【００６４】
次に、本変形例の動作について図１８を用いて説明する。なお、図１８のフローチャー
トにおいては、ステップＳＡ１からステップＳＡ８までの処理は、上述した実施形態と同
じであるため、その説明を省略する。
上述した実施形態においては、ステップＳＡ８の処理が終了すると、処理の流れをステ
ップＳＡ６に戻していたが、本変形例においては、制御部２０４は、ステップＳＡ９にお
いて抵抗体Ｒの温度が安定したか判定する。なお、ここでは、ＲＡＭに記憶した最新の温
度と最新の一つ前の温度との温度差が予め定められた閾値未満であるか判定するが、ステ
ップＳＡ９における閾値をステップＳＡ４における閾値より小さくする。
制御部２０４は、ここで温度差が閾値以上である場合には（ステップＳＡ９でＮＯ）、
処理の流れをステップＳＡ６に戻す。一方、この温度差が閾値未満である場合（ステップ
ＳＡ９でＹＥＳ）、制御部２０４は、温度を測定する時間間隔を第３時間間隔に設定する
（ステップＳＡ１０）。なお、本実施形態のステップＳＡ１０においては、第３時間間隔
は、第２時間間隔より長い１０秒に設定される。
【００６５】
次に制御部２０４は、液晶パネル１００に到達する光の光量を調節する操作が行われた
か判断する。制御部２０４は、液晶パネル１００に到達する光の光量を調節する操作が行
われていない場合（ステップＳＡ１１でＮＯ）、第３時間間隔をカウントし、第３時間間
隔をカウントし終えると（ステップＳＡ１２でＹＥＳ）、ステップＳＡ３と同様に抵抗体
Ｒの温度を測定し、映像信号を補正する（ステップＳＡ１３）。制御部２０４は、抵抗体
Ｒの温度測定を終了すると、これ以降にデータ線駆動回路１６０に供給される映像信号を
測定した温度に応じて補正し、処理の流れをステップＳＡ１１に戻す。
【００６６】
一方、液晶パネル１００に到達する光の光量を調節する操作が行われた場合（ステップ
ＳＡ１１でＹＥＳ）、制御部２０４は、処理の流れをステップＳＡ１に戻し、温度を測定
する時間間隔を第１時間間隔に戻す。
本変形例においては、上述した実施形態よりさらに温度測定の間隔が長くなるため、エ
レクトロマイグレーションが発生する可能性が低く、抵抗体Ｒを温度測定用の素子として
長期間使用することができる。
【００６７】
上述した実施形態においては、画素電極１１８および画素電極を接続する配線を温度セ
ンサーとして用いているが、温度を測定する構成は、上述した実施形態の構成に限定され
るものではない。例えば、温度センサーとしてサーミスターを遮光層１０９の領域に配置
し、このサーミスターを用いて温度の測定を行ってもよい。また温度センサーは、表示領
域内に配置された抵抗体であってもよい。
【００６８】
上述した実施形態においては、測定した温度に応じて映像信号を補正しているが、液晶
パネル１００を冷却する冷却ファンを設け、測定した温度に応じて冷却ファンのオン／オ
フや、冷却ファンの回転数を制御してもよい。
【００６９】
制御部２０４、第１信号印加部２０１、第２信号印加部２０２、Ａ／Ｄコンバーター２
０３は、液晶パネル１００に設ける構成であってもよい。また、制御部２０４、第１信号
印加部２０１、第２信号印加部２０２、Ａ／Ｄコンバーター２０３をまとめて温度検出装
置とし、この温度検出装置を液晶パネル１００ではなく、液晶パネル１００が用いられる
電子機器に配置してもよい。
【００７０】
上述した実施形態においては液晶パネルを用いているが、映像信号に応じた駆動電流に
対する発光効率に温度依存性を有する発光素子、例えばエレクトロルミネッセンス素子を
用いた電子機器に用いてもよい。
【符号の説明】
【００７１】
９０…シール材、９２…封止材、１００，１００Ｂ，１００Ｇ，１００Ｒ…液晶パネル、
１０１…素子基板、１０２…対向基板、１０５…液晶、１０７…端子、１０８…コモン電
極、１０９…遮光層、１１０…画素、１１２…走査線、１１４…データ線、１１５…容量
線、１１６…ＴＦＴ、１１８…画素電極、１２０…液晶素子、１２５…補助容量、１６０
…データ線駆動回路、１７０…走査線駆動回路、２０１…第１信号印加部、２０２…第２
信号印加部、２０３…Ａ／Ｄコンバーター、２０４…制御部、２０５…プロジェクター制
御部、２０６…電流検出器、１１００…プロジェクター、１１１０…偏光照明装置、１１
１２…ランプ、１１１４…リフレクター、１１４０…偏光ビームスプリッター、１１４１
…ｓ偏光光束反射面、１１２０…インテグレータレンズ、１１２５…絞り部、１１３０…
偏光変換素子１１３０、１１５１…ダイクロイックミラー、１１５２…ダイクロイックミ
ラー、１１６０…投射光学系、１１７０…スクリーン、２０４１…測定部、２０４２…第
１設定部、２０４３…第２設定部、ＳＷ１，ＳＷ２…スイッチ
【図１】
0005736784.tif 000002
【図２】
0005736784.tif 000003
【図３】
0005736784.tif 000004
【図４】
0005736784.tif 000005
【図５】
0005736784.tif 000006
【図６】
0005736784.tif 000007
【図７】
0005736784.tif 000008
【図８】
0005736784.tif 000009
【図９】
0005736784.tif 000010
【図１０】
0005736784.tif 000011
【図１１】
0005736784.tif 000012
【図１２】
0005736784.tif 000013
【図１３】
0005736784.tif 000014
【図１４】
0005736784.tif 000015
【図１５】
0005736784.tif 000016
【図１６】
0005736784.tif 000017
【図１７】
0005736784.tif 000018
【図１８】
0005736784.tif 000019
【図１９】
0005736784.tif 000020